(57)【要約】【課題】カメラ機構の制限や装着レンズの制限などがない状態で、レンズ交換式のデジタルカメラにおける固体撮像素子の受光領域における異物付着の問題が、抑制できるようにする。【解決手段】光学部品１０１は、水晶からなる光学ローパスフィルター１１１及び赤外カットフィルター１１２から構成され、かつ、表面に形成された異物付着防止膜１１３を備える。異物付着防止膜１１３は、フッ素シロキサンやパーフルオロアルキル基を含むパーフルオロアルキルシランなど、フッ素を含む材料から構成された薄膜である。従って、光学部品１０１の最表面は、表面自由エネルギーがより低い状態となり、表面への異物の付着が抑制され、また、表面に付着した異物が脱離しやすい状態となる。【選択図】  図１
2006163275.tif 000002
【特許請求の範囲】
【請求項１】
複屈折板とこの第１主面側に形成されてフッ素を含む材料から構成された異物付着防止膜とから少なくとも構成され、
前記異物付着防止膜は、最表面に形成されている
ことを特徴とする光学部品。
【請求項２】
請求項１記載の光学部品において、
前記複屈折板の前記第１主面側に接して形成された赤外カットフィルターを備え、
前記異物付着防止膜は、前記赤外カットフィルターの前記第１主面側の面に形成されている
ことを特徴とする光学部品。
【請求項３】
請求項１又は２記載の光学部品において、
前記複屈折板の前記第１主面と反対側の第２主面側に接して形成された反射防止膜を備える
ことを特徴とする光学部品。
【請求項４】
請求項１記載の光学部品において、
前記複屈折板の前記第１主面に接して形成された反射防止膜を備え、
前記異物付着防止膜は、前記反射防止膜の前記第１主面側の面に形成されている
ことを特徴とする光学部品。
【請求項５】
請求項４記載の光学部品において、
前記異物付着防止膜は、前記反射防止膜を構成している前記第１主面側の最表面に配置されたフッ素を含む材料から構成された薄膜である
ことを特徴とする光学部品。
【請求項６】
請求項５記載の光学部品において、
前記反射防止膜は、酸化アルミニウム層，酸化ジルコニウム層，フッ化マグネシウム層が、この順に前記複屈折板側より積層されて構成され、前記異物付着防止膜は、前記反射防止膜を構成しているフッ化マグネシウム層である
こをと特徴とする光学部品。
【請求項７】
請求項１〜６のいずれか１項に記載の光学部品において、
前記第２主面側の最表面に形成されてフッ素を含む材料から構成された第２の異物付着防止膜を備えることを特徴とする光学部品。
【請求項８】
請求項１〜７のいずれか１項に記載の光学部品において、
前記複屈折板は、光学ローパスフィルターである
ことを特徴とする光学部品。
【発明の詳細な説明】
【技術分野】
【０００１】
本発明は、固体撮像素子が用いられたレンズ交換式のデジタルカメラなどに用いられる光学ローパスフィルターから構成された光学部品に関する。
【背景技術】
【０００２】
ＣＣＤ（電荷転送素子）などの固体撮像素子を、銀塩フィルムの代わりに用いて静止画を記録するデジタルカメラが、普及してきている。デジタルカメラでは、固体撮像素子に画像を結像させて得られた画像データをフラッシュメモリなどに記録する。このため、従来では、消耗品として用いられてきたフィルムが不要になる。また、デジタルカメラでは、搭載されているモニターにより、撮影した画像の確認が容易に行える。これらのことにより、銀塩フィルムを用いた写真撮影に比較し、写真撮影が高効率に行える。
【０００３】
このような特徴を備えたデジタルカメラにおいて、多くの種類のレンズが利用できるレンズ交換式のデジタルカメラが、報道写真の撮影や商用写真の撮影において多用されるようになっている。レンズ交換式のカメラとしては、図７に示すような一眼レフタイプのカメラが一般的である。図７に示す一眼レフタイプのデジタルカメラについて簡単に説明すると、カメラ本体７０１のマウント部に着脱可能な交換レンズ７０２が固定されている。
【０００４】
交換レンズ７０２の光学系を透過した光束は、ミラー７０３に入射し、ここで反射した光束がファインダーへと導かれる。ファインダーへと導かれた光束は、ピント板に被写体像を結像し、撮影者はペンタプリズム７０４及び接眼レンズ７０５を介してこのピント板上の被写体像を観察可能とされている。ミラー７０３はミラー保持枠に接着固定され、ヒンジ軸によって回転可能に軸支されている。ミラー７０３の後方には、フォーカルプレーン形式のシャッター機構７０６が配置されている。シャッター機構７０６のシャッター幕７０７は、通常では閉じた状態となっている。
【０００５】
シャッター機構７０６の後方には、光学ローパスフィルター及び赤外線カットフィルターが一体に形成された光学フィルター７０８を介し、固体撮像素子７０９が配置されている。撮影時には、ミラー７０３がファインダー側へ跳ね上がり、シャッター幕７０７が開き、交換レンズ７０２の光学系を透過した光束が、光学フィルター７０８を通して固体撮像素子７０９の受光面に入射する状態となる。レンズ交換式のカメラでは、レンズ側に組み込まれるレンズシャッターの形態をとることが容易ではないため、一般には、受光部の直前に配置されるフォーカルプレーンシャッターが用いられる。
【０００６】
このような構成とされているレンズ交換式のデジタルカメラでは、空気中に浮遊している塵やホコリなどの異物付着による画質の低下が問題となっている。例えば、光学フィルター７０８の表面に異物が付着すると、この箇所では、付着している異物により遮光されるため、固体撮像素子７０９は、入射してきた光像を正確に受光できない。この結果、得られた画像データにおいては、異物付着の箇所に対応して、黒点やシミなどが写し込まれた状態となる。また、上記異物による問題は、異物が付着している間は解消されないため、使用者が気付かずに撮影している場合、多くの撮影画像データについて影響を与えることになる。
【０００７】
このような異物付着による問題を解消するために、交換レンズのマウント部とシャッター機構との間に保護ガラスを設けてゴミの侵入を防ぎ、固体撮像素子の受光面やこれに対応する光学フィルターの面へのゴミ付着を抑制する技術が提案されている（特許文献１，２参照）。
【０００８】
なお、出願人は、本明細書に記載した先行技術文献情報で特定される先行技術文献以外には、本発明に関連する先行技術文献を出願時までに発見するには至らなかった。
【特許文献１】特開２０００−２４１８６９号公報
【特許文献２】特開２００２−９０８４２号公報
【発明の開示】
【発明が解決しようとする課題】
【０００９】
しかしながら、シャッター機構の摺動部より削りくずが発生する場合もあり、上述した従来技術では、このような異物の受光領域への付着が防げない。また、上述した従来の技術では、ミラーの可動領域に制約が発生し、また、レンズ最終面から撮像面までの距離が短いレンズが装着できなくなるなど、カメラ本体の設計に制限が発生する。
【００１０】
本発明は、以上のような問題点を解消するためになされたものであり、カメラ機構の制限や装着レンズの制限などがない状態で、レンズ交換式のデジタルカメラにおける固体撮像素子の受光領域における異物付着の問題が、抑制できるようにすることを目的とする。
【課題を解決するための手段】
【００１１】
本発明に係る光学部品は、例えば光学ローパスフィルターとなる複屈折板と、この第１主面側に形成されてフッ素を含む材料から構成された異物付着防止膜とから少なくとも構成され、異物付着防止膜は、最表面に形成されているようにしたものである。フッ素化合物である異物付着防止膜が形成されているようにした光学部品の最表面は、表面自由エネルギーがより低い状態となる。
【００１２】
上記光学部品において、複屈折板の第１主面側に接して形成された赤外カットフィルターを備え、異物付着防止膜は、赤外カットフィルターの第１主面側の面に形成されているようにしてもよい。また、複屈折板の第１主面と反対側の第２主面側に接して形成された反射防止膜を備えるようにしてもよい。また、第２主面側の最表面に第２の異物付着膜が形成されていてもよい。
【００１３】
また、上記光学部品において、複屈折板の第１主面に接して形成された反射防止膜を備え、異物付着防止膜は、反射防止膜の第１主面側の面に形成されているようにしてもよい。この場合、異物付着防止膜が、反射防止膜を構成している第１主面側の最表面に配置されたフッ素を含む材料から構成された薄膜とすることが可能である。例えば、反射防止膜は、酸化アルミニウム層，酸化ジルコニウム層，フッ化マグネシウム層が、この順に複屈折板側より積層されて構成され、異物付着防止膜は、反射防止膜を構成しているフッ化マグネシウム層であればよい。これらの場合においても、第２主面側の最表面に第２の異物付着膜が形成されていてもよい。
【発明の効果】
【００１４】
以上説明したように、本発明によれば、例えば光学ローパスフィルターとなる複屈折板から構成されている光学部品の最表面に、フッ素を含む材料から構成された異物付着防止膜を備えるようにしたので、カメラ機構の制限や装着レンズの制限などがない状態で、レンズ交換式のデジタルカメラにおける固体撮像素子の受光領域における異物付着の問題が、抑制できるようになるという優れた効果が得られる。
【発明を実施するための最良の形態】
【００１５】
以下、本発明の実施の形態について図を参照して説明する。図１は、本発明の実施の形態における光学部品１０１の構成例を模式的に示す断面図である。光学部品１０１は、水晶からなる光学ローパスフィルター１１１及び赤外カットフィルター１１２から構成され、かつ、表面に形成された異物付着防止膜１１３を備えるようにしたものである。赤外カットフィルター１１２は、光学ローパスフィルター１１１の表面側に接して形成されている。なお、「表面」とは、図１の紙面上側を示し、異物付着防止膜１１３が形成されている側の面（第１主面）を示している。
【００１６】
光学ローパスフィルター１１１は、水晶やニオブ酸リチウムなどから構成された所定の板厚の複屈折板であり、よく知られているように、固体撮像素子を用いた撮像装置における色モアレを低減するために用いる光学フィルターである。一般に、デジタルカメラで用いられている固体撮像素子では、色フィルターアレイを用いてカラー画像を得るようにしている。このような固体撮像素子では、色フィルターアレイのピッチ相当の高い空間周波数成分の信号が入力されると、これが色信号として検波されて偽色信号が発生する。偽色信号が発生すると、撮影したカラー画像は著しく劣化する。また、ＣＣＤ撮像素子やＭＯＳ撮像素子などの固体撮像素子では、光電変換を行う各画素がディスクリートな形で分離しているため、明暗の周期が各画素のピッチの１／２以下の高い空間周波数成分が入ってくると、高周波成分の折り返し像が低周波成分として出力される偽解像信号が発生し、撮影した像の解像度を低下させる要因となっている。
【００１７】
以上のような撮像素子における問題を避けるために、光学ローパスフィルターが用いられ、高い空間周波数成分を抑えることにより像を故意にぼかすようにしている。光学ローパスフィルターとしては、水晶などの複屈折を有する結晶板（複屈折板）が主に用いられている。複屈折を有する結晶板を用いる光学ローパスフィルターは、光像の異常光を常光から画素間の距離に対応する距離だけずらして結像させることで光像をぼかし、上記問題の発生原因となる高周波成分をカットするようにしている。このように、デジタルカメラにおいては、光学部品として複屈折を有する結晶板が必須な部品となっている。
【００１８】
赤外カットフィルター１１２は、例えば、酸化チタン（ＴｉＯ2）の薄膜と酸化シリコン（ＳｉＯ2）の薄膜とが複数回（２８回）積層されたものであり、固体撮像素子を用いた撮像装置における赤外線による問題を解消するものである。この積層膜は、一般にガラス基板の表面に形成されて用いられる。なお、赤外カットフィルター１１２は、赤外線を吸収するガラス（ＩＲガラス）から構成されていてもよい。なお、上記積層膜を用いる赤外カットフィルター１１２は、可視光域においては反射防止膜としても機能する。
【００１９】
異物付着防止膜１１３は、フッ素シロキサンやパーフルオロアルキル基を含むパーフルオロアルキルシランなど、フッ素を含む材料から構成された薄膜である。このように構成された光学部品１０１によれば、表面に上記材料からなる異物付着防止膜１１３が形成されているため、光学部品１０１の最表面は、表面自由エネルギーがより低い状態となり、表面への異物の付着が抑制され、また、表面に付着した異物が脱離しやすい状態となっている。
【００２０】
上記構成とした光学部品１０１は、例えば、図２に示すように、デジタルカメラの固体撮像素子２０９の前面に配置される。図２に示すデジタルカメラは、カメラ本体２０１のマウント部に着脱可能な交換レンズ２０２が固定される、一眼レフタイプのデジタルカメラである。この形式のデジタルカメラでは、交換レンズ２０２の光学系を透過した光束は、ミラー２０３に入射し、ここで反射した光束がファインダーへと導かれる。
【００２１】
ファインダーへと導かれた光束は、ピント板に被写体像を結像し、撮影者はペンタプリズム２０４及び接眼レンズ２０５を介してこのピント板上の被写体像を観察可能とされている。ミラー２０３はミラー保持枠に接着固定され、ヒンジ軸によって回転可能に軸支されている。ミラー２０３の後方には、フォーカルプレーン形式のシャッター機構２０６が配置されている。シャッター機構２０６のシャッター幕２０７は、通常では閉じた状態となっている。
【００２２】
シャッター機構２０６の後方には、光学部品１０１を介し、固体撮像素子２０９が配置されている。光学部品１０１は、異物付着防止膜１１３の形成されている表面がシャッター機構２０６の側を向くように配置され、光学部品１０１を介してシャッター機構２０６側と固体撮像素子２０９側とを隔離している。撮影時には、ミラー２０３がファインダー側へ跳ね上がり、シャッター幕２０７が開き、交換レンズ２０２の光学系を透過した光束が、光学部品１０１を通して固体撮像素子２０９の受光面に入射する状態となる。光束は、異物付着防止膜１１３→赤外カットフィルター１１２→光学ローパスフィルター１１１を通して固体撮像素子２０９の受光面に入射する。
【００２３】
このとき、カメラ本体２０１の内部に進入している異物や、シャッター機構２０６の動作により発生した異物などが、光学部品１０１の表面に付着し難い状態となっている。また、上記異物が光学部品１０１の表面に接触しても、脱離し易い状態となっている。従って、微小な振動により、光学部品１０１の表面に付着している異物が容易に脱離する。また、カメラ用のブロワーなどを用いることで、光学部品１０１の表面に付着している異物を容易に吹き飛ばすことができる。
【００２４】
なお、図１に示す光学部品１０１は、赤外カットフィルター１１２の側に異物付着防止膜１１３を設けるようにしたが、これに限るものではなく、光学ローパスフィルターの側に異物付着防止膜が形成されているようにしてもよい。この場合、上記光束は、異物付着防止膜→光学ローパスフィルター→赤外カットフィルターを通して固体撮像素子２０９の受光面に入射する。また、光学部品１０１の両側に異物付着防止膜が形成されていてもよい。このようにすることで、光学部品１０１を図２に示すようなデジタルカメラに組み込む前に、光学部品１０１の表面に対する異物付着が抑制され、光学部品１０１と固体撮像素子２０９との間に異物が混入するような問題が抑制されるようになる。
【００２５】
また、図３（ａ）に示すように、光学部品１０１は、光学ローパスフィルター１１１の表面に、ガラス板１１４を介して赤外カットフィルター１１２が形成されてこの上に異物付着防止膜１１３が形成され、裏面（第２主面）に、ＩＲガラス板１１５を介して反射防止膜１１６が形成されていてもよい。また、図３（ｂ）に示すように、光学部品１０１は、光学ローパスフィルター１１１の表面に、ＩＲガラス板１１５を介して赤外カットフィルター１１２が形成されてこの上に異物付着防止膜１１３が形成され、裏面（第２主面）に、ガラス板１１４を介して反射防止膜１１６が形成されていてもよい。
【００２６】
反射防止膜１１６は、例えば、ＴｉＯ2の薄膜とＳｉＯ2の薄膜とが複数回（５回）積層されたものである。反射防止膜１１６は、ガラス板１１４及びＩＲガラス板１１５などを介さずに、光学ローパスフィルター１１１の表面に直接形成されていてもよい。ただし、光学ローパスフィルター１１１が薄く反り易い場合、上述したようにガラス板を用いるようにすることで、反りの問題が抑制できるようになる。なお、図３（ａ），図３（ｂ）に示す構成例においても、光学部品の裏面側の最表面に異物付着防止膜が形成されていてもよい。図３（ａ），図３（ｂ）に示す構成例では、反射防止膜１１６の表面に異物付着防止膜が形成されていてもよい。
【００２７】
また、赤外カットフィルター１１２が形成されたガラス板を挾むように配置された２枚の複屈折板から光学ローパスフィルターが構成されていてもよい。この場合、一方の複屈折板の外側の面の最表面に異物付着防止膜が形成されていればよい。また、これに加え、他方の複屈折板の外側の面の最表面に異物付着防止膜が形成されていてもよい。これらのように、異物付着防止膜が設けられる光学部品は、複屈折板から構成されているものであれば、どのような形態であってもよい。
【００２８】
また、図１及び図３（ａ），図３（ｂ）に例示する光学部品によれば、異物付着防止膜１１３が形成されているようにすればよく、新たな部品を追加することないので、製造コストの上昇を招くことなどがない。また、本実施の形態によれば、製品化されているデジタルカメラにすでに組み込まれている光学部品の表面に異物付着防止膜が形成されているようにしたので、光学系やカメラ機構を新たに設計し直す必要がない。このように、図１及び図３（ａ），図３（ｂ）に例示する光学部品によれば、カメラ機構の制限や装着レンズの制限などがない状態で、レンズ交換式のデジタルカメラにおける固体撮像素子の受光領域における異物付着の問題が、解消できるようになる。なお、異物付着防止膜は、デジタルカメラに用いられる光学部品に限らず、１／２波長板など、複屈折板から構成された他の光学部品に適用してもよい。
【００２９】
次に、異物付着防止膜１１３の光学特性について説明する。まず、図４に示すように、異物付着防止膜１１３は、膜厚が厚くなるほど透過率が低下する。なお、図４において、縦軸は、波長４５０〜６００ｎｍの範囲における透過率の平均値である。また、図４は、例えば、水晶板にＴｉＯ2層及びＳｉＯ2層がこの順に複数積層して形成された赤外カットフィルターが形成され、この上に異物付着膜防止膜１１３が形成されたときの透過特性である。従って、光学透過率が９５％程度必要な場合、異物付着防止膜１１３は、膜厚１０ｎｍ以下とした方がよい。
【００３０】
次に、異物付着防止膜１１３を反射防止膜の側に形成した場合の、反射防止について説明する。図５に示すように、異物付着防止膜１１３は、膜厚が厚くなるほど反射率が増加する。なお、図５において、縦軸は、波長４５０〜６００ｎｍの範囲における反射率の平均値である。従って、反射率は１％以下が必要な場合、異物付着防止膜１１３は、膜厚１０ｎｍ以下とした方がよい。
【００３１】
次に、異物付着防止膜１１３における異物付着について説明する。図６は、ふるい落とした後、異物付着防止膜１１３の上に残存する異物の状態を観察した調査結果を示している。この調査では、平均粒径７０μｍのガラスビーズから構成された試験用粉体を用い、この粉体を光学部品１０１の上に分散させた後、所定の領域における粒子の個数を顕微鏡観察により計測し、ついで、光学部品１０１を反転させて微振動を与えてふるい落とした後、再度、同一領域の粒子の個数を計測している。この、「ふるい落とし後」の粒子数を「ふるい落とし前」の粒子数で除した数値が、図６中に付着率として示してある。
【００３２】
また、図６において、サンプルＡは、異物付着防止膜１１３が形成されていない光学部品、サンプルＢは、図１に示すように、異物付着防止膜１１３が赤外カットフィルター１１２の上に形成された光学部品、サンプルＣは、図３（ｂ）に示すように、異物付着防止膜１１３が反射防止膜１１５の上に形成された光学部品である。なお、サンプルＤは、酸化アルミニウム（Ａｌ2Ｏ3），酸化ジルコニウム（ＺｒＯ2），フッ化マグネシウム（ＭｇＦ2）の各層から構成され、最表面がＭｇＦ2とされた反射防止膜の上に、上記粉体を分散させて同様の試験を行った結果を示している。この場合、反射防止膜の最表面が、フッ素を含む含む材料から構成された異物付着防止膜となっている。図６から明らかなように、異物付着防止膜が形成されている場合、付着して残存している粒子の数が大きく減少している。
【００３３】
また、同様に、上記試験用粉体を光学部品１０１の上に分散させた後、所定の領域における粒子の個数を顕微鏡観察により計測し、ついで、分散させた表面に、風速２ｍ／ｓ程度でエアブローして粉体を飛散させた後、再度、同一領域の粒子の個数を計測する。異物付着防止膜が形成されている場合、エアブロー処理をした後の粒子数をエアブロー処理前の粒子数で除した数値は、９９％となる。これに対し、異物付着防止膜が形成されていない場合、上記数値が９１．６％となる。このように、異物付着防止膜が形成されていることにより、付着した異物がより除去しやすくなる。
【図面の簡単な説明】
【００３４】
【図１】本発明の実施の形態における光学部品１０１の構成例を模式的に示す断面図である。
【図２】光学部品１０１が組み込まれたデジタルカメラの構成例を模式的に示す断面図である。
【図３】本発明の実施の形態における光学部品１０１の他の構成例を模式的に示す断面図である。
【図４】異物付着防止膜１１３の光学（透過）特性について示す特性図である。
【図５】異物付着防止膜１１３の光学（反射）特性について示す特性図である。
【図６】ふるい落とした後、異物付着防止膜１１３の上に残存する異物の状態を観察した調査結果を示す説明図である。
【図７】デジタルカメラの構成例を模式的に示す断面図である。
【符号の説明】
【００３５】
１０１…光学部品１０１、１１１…光学ローパスフィルター、１１２…赤外カットフィルター、１１３…異物付着防止膜。
【図１】
2006163275.tif 000003
【図２】
2006163275.tif 000004
【図３】
2006163275.tif 000005
【図４】
2006163275.tif 000006
【図５】
2006163275.tif 000007
【図６】
2006163275.tif 000008
【図７】
2006163275.tif 000009